【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信の方法であって、
少なくとも１つのフレームのアップリンク−ダウンリンクサブフレーム構成における変更に基づいて、Ｄ２Ｄリソースメッセージを受信することと、ここにおいて、前記Ｄ２Ｄリソースメッセージは、前記ＵＥが、前記アップリンク−ダウンリンクサブフレーム構成における前記変更の後、少なくともＤ２Ｄデータ送信のために割り振られたリソースを決定することを可能にする、
前記受信されたＤ２Ｄリソースメッセージに基づいて、少なくともＤ２Ｄデータ送信を行うために使用されるべき前記リソースのサブセットを決定することと、
を備える、方法。
【請求項２】
前記少なくとも１つのフレームの前記アップリンク−ダウンリンクサブフレーム構成における前記変更に基づいて、構成更新メッセージを受信することをさらに備え、ここにおいて、前記構成更新メッセージは、ダウンリンクサブフレームのセットおよびアップリンクサブフレームのセットを示す、請求項１に記載の方法。
【請求項３】
少なくともＤ２Ｄデータ送信を行うために使用されるべきリソースの前記サブセットを前記決定することは、
前にアップリンクサブフレームとして構成され、前に、少なくともＤ２Ｄデータ送信のために割り振られたリソースと関連付けられたダウンリンクサブフレームを識別することと、
前記識別されたダウンリンクサブフレーム上で少なくともＤ２Ｄデータ送信を行うことを控えることと、
を備える、請求項１に記載の方法。
【請求項４】
少なくともＤ２Ｄデータ送信を行うために使用されるべきリソースの前記サブセットを前記決定することは、Ｄ２Ｄデータ送信に関連付けられた識別子に基づいて前記Ｄ２Ｄリソースメッセージを復号することを備える、請求項１に記載の方法。
【請求項５】
前記Ｄ２Ｄリソースメッセージは、アップリンクサブフレームのセットにおいて、少なくともＤ２Ｄデータ送信のために割り振られた前記リソースを示す、請求項１に記載の方法。
【請求項６】
前記Ｄ２Ｄリソースメッセージは、Ｄ２Ｄ情報メッセージが送信されることとなるリソースを識別し、ここにおいて、前記Ｄ２Ｄ情報メッセージは、アップリンクサブフレームのセットにおいて、少なくともＤ２Ｄデータ送信のために割り振られた前記リソースを示す、請求項１に記載の方法。
【請求項７】
基地局によるワイヤレス通信の方法であって、
ネットワークトラフィックに基づいて、少なくとも１つのフレームのアップリンク−ダウンリンクサブフレーム構成を再構成することを決定することと、
前記決定に基づいて前記アップリンク−ダウンリンクサブフレーム構成を再構成することと、
前記再構成されたアップリンク−ダウンリンクサブフレーム構成に基づいて、Ｄ２Ｄリソースメッセージを送信することと、ここにおいて、前記Ｄ２Ｄリソースメッセージは、ユーザ機器（ＵＥ）が、前記再構成されたアップリンク−ダウンリンクサブフレーム構成に基づいて少なくともＤ２Ｄデータ送信のために割り振られたリソースを決定することを可能にする、
を備える、方法。
【請求項８】
前記再構成されたアップリンク−ダウンリンクサブフレーム構成に基づいて、少なくともＤ２Ｄデータ送信のために前記リソースを割り振ることをさらに備える、請求項７に記載の方法。
【請求項９】
前記再構成されたアップリンク−ダウンリンクサブフレーム構成は、前のアップリンク−ダウンリンクサブフレーム構成より少ないアップリンクサブフレームを有し、ここにおいて、前記リソースのサブセットは、前記前のアップリンク−ダウンリンクサブフレーム構成において前に少なくともＤ２Ｄデータ送信のために割り振られていないアップリンクサブフレームのサブセットに割り振られた、請求項７に記載の方法。
【請求項１０】
前記少なくとも１つのフレームの、前記再構成されたアップリンク−ダウンリンクサブフレーム構成に基づいて、構成更新メッセージを送信することをさらに備え、ここにおいて、前記構成更新メッセージは、ダウンリンクサブフレームのセットおよびアップリンクサブフレームのセットを示す、請求項７に記載の方法。
【請求項１１】
前記ＵＥが前記Ｄ２Ｄリソースメッセージを復号することを可能にするために、システム情報ブロックにおいて、少なくともＤ２Ｄデータ送信に関連付けられた識別子を送信することをさらに備える、請求項７に記載の方法。
【請求項１２】
前記Ｄ２Ｄリソースメッセージは、アップリンクサブフレームのセットにおいて割り振られた前記リソースを示す、請求項７に記載の方法。
【請求項１３】
前記Ｄ２Ｄリソースメッセージは、Ｄ２Ｄ情報メッセージが送信されることとなるリソースを識別し、ここにおいて、前記Ｄ２Ｄ情報メッセージは、前記再構成されたアップリンク−ダウンリンクサブフレーム構成に基づいてアップリンクサブフレームのセットにおいて割り振られた前記リソースを示す、請求項７に記載の方法。
【請求項１４】
ワイヤレス通信のための装置であって、
少なくとも１つのフレームのアップリンク−ダウンリンクサブフレーム構成における変更に基づいて、Ｄ２Ｄリソースメッセージを受信するための手段と、ここにおいて、前記Ｄ２Ｄリソースメッセージは、前記装置が、前記アップリンク−ダウンリンクサブフレーム構成における前記変更の後、少なくともＤ２Ｄデータ送信のために割り振られたリソースを決定することを可能にする、
前記受信されたＤ２Ｄリソースメッセージに基づいて、少なくともＤ２Ｄデータ送信を行うために使用されるべき前記リソースのサブセットを決定するための手段と、
を備える、装置。
【請求項１５】
ワイヤレス通信のための装置であって、
ネットワークトラフィックに基づいて、少なくとも１つのフレームのアップリンク−ダウンリンクサブフレーム構成を再構成することを決定するための手段と、
前記決定に基づいて前記アップリンク−ダウンリンクサブフレーム構成を再構成するための手段と、
前記再構成されたアップリンク−ダウンリンクサブフレーム構成に基づいて、Ｄ２Ｄリソースメッセージを送信するための手段と、ここにおいて、前記Ｄ２Ｄリソースメッセージは、ユーザ機器（ＵＥ）が、前記再構成されたアップリンク−ダウンリンクサブフレーム構成に基づいて少なくともＤ２Ｄデータ送信のために割り振られたリソースを決定することを可能にする、
を備える、装置。
【手続補正２】
【補正対象書類名】明細書
【補正対象項目名】００７６
【補正方法】変更
【補正の内容】
【００７６】
[0091]  先の説明は、いかなる当業者であっても、本明細書に説明された様々な態様を実現することを可能にするために提供される。これらの態様に対する様々な修正は、当業者に容易に明らかとなり、本明細書に定義された包括的な原理は、他の態様に適用され得る。よって、特許請求の範囲は、本明細書に示された態様に限定されるようには意図されず、特許請求の範囲の文言と一致する全範囲が付与れるべきものであり、ここで、単数形の要素への参照は、そのように明記されていない限り、「１つ、および１つのみ」を意味するようには意図されず、むしろ「１つ以上」を意味するように意図される。「例証的（exemplary）」という用語は、本明細書において、「例、事例、または例示としての役割を果たす」という意味で用いられる。「例証的」であるとして本明細書に説明された任意の態様は、必ずしも、他の態様より好ましいまたは有利であるとして解釈されるべきではない。そうでないと明記されない限り、「何らかの／いくつかの（some）」という用語は、１つ以上を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含み得る。具体的には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣであり得、ここで、任意のそのような組み合わせは、Ａ、Ｂ、またはＣの１つ以上のメンバーを包含し得る。当業者に知られている、あるいは後に知られることとなるこの開示全体を通じて説明された様々な態様の要素と構造的および機能的に同等な物は全て、参照によって本明細書に明確に組み込まれ、特許請求の範囲によって網羅されるように意図される。さらに、本明細書に開示されたものは何れも、そのような開示が特許請求の範囲において明記されているかどうかにかかわらず、公衆に献呈されるようには意図されていない。要素が「〜のための手段」という表現を使用して明記されていない限り、どの請求項の要素もミーンズプラスファンクションとして解釈されるべきではない。
以下に本願の出願当初の特許請求の範囲に記載された発明を付記する。
［Ｃ１］  ユーザ機器（ＵＥ）によるワイヤレス通信の方法であって、
少なくとも１つのフレームのアップリンク−ダウンリンクサブフレーム構成における変更に基づいて、デバイスツーデバイス（Ｄ２Ｄ）リソースメッセージを受信することと、ここにおいて、前記Ｄ２Ｄリソースメッセージは、前記ＵＥが、前記アップリンク−ダウンリンクサブフレーム構成における前記変更の後、Ｄ２Ｄ送信のために割り振られたＤ２Ｄリソースを決定することを可能にする、
前記受信されたＤ２Ｄリソースメッセージに基づいて、Ｄ２Ｄ送信を行うために使用されるべき前記Ｄ２Ｄリソースのサブセットを決定することと、
を備える、方法。
［Ｃ２］  前記少なくとも１つのフレームの前記アップリンク−ダウンリンクサブフレーム構成における前記変更に基づいて、構成更新メッセージを受信することをさらに備え、ここにおいて、前記構成更新メッセージは、ダウンリンクサブフレームのセットおよびアップリンクサブフレームのセットを示す、Ｃ１に記載の方法。
［Ｃ３］  Ｄ２Ｄ送信を行うために使用されるべきＤ２Ｄリソースの前記サブセットを前記決定することは、
前にアップリンクサブフレームとして構成され、前に、Ｄ２Ｄ送信のために割り振られたリソースと関連付けられたダウンリンクサブフレームを識別することと、
前記識別されたダウンリンクサブフレーム上でＤ２Ｄ送信を行うことを控えることと、  を備える、Ｃ１に記載の方法。
［Ｃ４］  Ｄ２Ｄ送信を行うために使用されるべきＤ２Ｄリソースの前記サブセットを前記決定することは、Ｄ２Ｄ送信に関連付けられた識別子に基づいて前記Ｄ２Ｄリソースメッセージを復号することを備える、Ｃ１に記載の方法。
［Ｃ５］  システム情報ブロックにおいて、Ｄ２Ｄ送信に関連付けられた前記識別子を受信することをさらに備える、Ｃ４に記載の方法。
［Ｃ６］  前記Ｄ２Ｄリソースメッセージは、アップリンクサブフレームのセットにおいて、Ｄ２Ｄ送信のために割り振られた前記Ｄ２Ｄリソースを示す、Ｃ１に記載の方法。
［Ｃ７］  前記Ｄ２Ｄリソースメッセージは、物理ダウンリンク制御チャネル（ＰＤＣＣＨ）において送信される、Ｃ６に記載の方法。
［Ｃ８］  前記Ｄ２Ｄリソースメッセージは、Ｄ２Ｄ情報メッセージが送信されることとなるリソースを識別し、ここにおいて、前記Ｄ２Ｄ情報メッセージは、アップリンクサブフレームのセットにおいて、Ｄ２Ｄ送信のために割り振られた前記Ｄ２Ｄリソースを示す、Ｃ１に記載の方法。
［Ｃ９］  前記Ｄ２Ｄリソースメッセージにおいて識別された前記リソース上で前記Ｄ２Ｄ情報メッセージを受信することをさらに備える、Ｃ８に記載の方法。
［Ｃ１０］  前記Ｄ２Ｄリソースメッセージは、物理ダウンリンク制御チャネル（ＰＤＣＣＨ）において受信され、前記Ｄ２Ｄ情報メッセージは、物理ダウンリンク共有チャネル（ＰＤＳＣＨ）において受信される、Ｃ９に記載の方法。
［Ｃ１１］  前記Ｄ２Ｄ情報メッセージは、前記アップリンク−ダウンリンクサブフレーム構成における前記変更に基づいてダウンリンクサブフレームにコンバートされる、またはアップリンクサブフレームにコンバートされることとなる前記少なくとも１つのフレームの１つ以上のサブフレームを示すビットマップを備える、Ｃ９に記載の方法。
［Ｃ１２］  基地局によるワイヤレス通信の方法であって、
ネットワークトラフィックに基づいて、少なくとも１つのフレームのアップリンク−ダウンリンクサブフレーム構成を再構成することを決定することと、
前記決定に基づいて前記アップリンク−ダウンリンクサブフレーム構成を再構成することと、
前記再構成されたアップリンク−ダウンリンクサブフレーム構成に基づいて、デバイスツーデバイス（Ｄ２Ｄ）リソースメッセージを送信することと、ここにおいて、前記Ｄ２Ｄリソースメッセージは、ユーザ機器（ＵＥ）が、前記再構成されたアップリンク−ダウンリンクサブフレーム構成に基づいてＤ２Ｄ送信のために割り振られたＤ２Ｄリソースを決定することを可能にする、
を備える、方法。
［Ｃ１３］  前記再構成されたアップリンク−ダウンリンクサブフレーム構成に基づいて、Ｄ２Ｄ送信のために前記Ｄ２Ｄリソースを割り振ることをさらに備える、Ｃ１２に記載の方法。
［Ｃ１４］  前記再構成されたアップリンク−ダウンリンクサブフレーム構成は、前のアップリンク−ダウンリンクサブフレーム構成より少ないアップリンクサブフレームを有し、ここにおいて、前記Ｄ２Ｄリソースのサブセットは、前記前のアップリンク−ダウンリンクサブフレーム構成において前にＤ２Ｄ送信のために割り振られていないアップリンクサブフレームのサブセットに割り振られた、Ｃ１２に記載の方法。
［Ｃ１５］  前記少なくとも１つのフレームの、前記再構成されたアップリンク−ダウンリンクサブフレーム構成に基づいて、構成更新メッセージを送信することをさらに備え、ここにおいて、前記構成更新メッセージは、ダウンリンクサブフレームのセットおよびアップリンクサブフレームのセットを示す、Ｃ１２に記載の方法。
［Ｃ１６］  前記ＵＥが前記Ｄ２Ｄリソースメッセージを復号することを可能にするために、システム情報ブロックにおいて、Ｄ２Ｄ送信に関連付けられた識別子を送信することをさらに備える、Ｃ１２に記載の方法。
［Ｃ１７］  前記Ｄ２Ｄリソースメッセージは、アップリンクサブフレームのセットにおいて割り振られた前記Ｄ２Ｄリソースを示す、Ｃ１２に記載の方法。
［Ｃ１８］  前記Ｄ２Ｄリソースメッセージは、Ｄ２Ｄ情報メッセージが送信されることとなるリソースを識別し、ここにおいて、前記Ｄ２Ｄ情報メッセージは、前記再構成されたアップリンク−ダウンリンクサブフレーム構成に基づいてアップリンクサブフレームのセットにおいて割り振られた前記Ｄ２Ｄリソースを示す、Ｃ１２に記載の方法。
［Ｃ１９］  前記Ｄ２Ｄリソースメッセージにおいて識別された前記リソース上で前記Ｄ２Ｄ情報メッセージを送信することをさらに備える、Ｃ１８に記載の方法。
［Ｃ２０］  前記Ｄ２Ｄリソースメッセージは、物理ダウンリンク制御チャネル（ＰＤＣＣＨ）において送信され、前記Ｄ２Ｄ情報メッセージは、物理ダウンリンク共有チャネル（ＰＤＳＣＨ）において送信される、Ｃ１９に記載の方法。
［Ｃ２１］  ワイヤレス通信のための装置であって、
メモリと、
前記メモリに結合される少なくとも１つのプロセッサと、
を備え、前記少なくとも１つのプロセッサは、
少なくとも１つのフレームのアップリンク−ダウンリンクサブフレーム構成における変更に基づいて、デバイスツーデバイス（Ｄ２Ｄ）リソースメッセージを受信することと、ここにおいて、前記Ｄ２Ｄリソースメッセージは、前記装置が、前記アップリンク−ダウンリンクサブフレーム構成における前記変更の後、Ｄ２Ｄ送信のために割り振られたＤ２Ｄリソースを決定することを可能にする、
前記受信されたＤ２Ｄリソースメッセージに基づいて、Ｄ２Ｄ送信を行うために使用されるべき前記Ｄ２Ｄリソースのサブセットを決定することと、
を行うように構成される、装置。
［Ｃ２２］  前記少なくとも１つのプロセッサはさらに、前記少なくとも１つのフレームの前記アップリンク−ダウンリンクサブフレーム構成における前記変更に基づいて、構成更新メッセージを受信することを行うように構成され、ここにおいて、前記構成更新メッセージは、ダウンリンクサブフレームのセットおよびアップリンクサブフレームのセットを示す、Ｃ２１に記載の装置。
［Ｃ２３］  前記少なくとも１つのプロセッサは、Ｄ２Ｄ送信に関連付けられた識別子に基づいて前記Ｄ２Ｄリソースメッセージを復号することによって、Ｄ２Ｄ送信を行うために使用されるべき前記Ｄ２Ｄリソースの前記サブセットを決定することを行うように構成される、Ｃ２１に記載の装置。
［Ｃ２４］  前記Ｄ２Ｄリソースメッセージは、Ｄ２Ｄ情報メッセージが送信されることとなるリソースを識別し、ここにおいて、前記Ｄ２Ｄ情報メッセージは、アップリンクサブフレームのセットにおいて、Ｄ２Ｄ送信のために割り振られた前記Ｄ２Ｄリソースを示す、Ｃ２１に記載の装置。
［Ｃ２５］  ワイヤレス通信のための装置であって、
メモリと、
前記メモリに結合される少なくとも１つのプロセッサと、
を備え、前記少なくとも１つのプロセッサは、
ネットワークトラフィックに基づいて、少なくとも１つのフレームのアップリンク−ダウンリンクサブフレーム構成を再構成することを決定することと、
前記決定に基づいて前記アップリンク−ダウンリンクサブフレーム構成を再構成することと、
前記再構成されたアップリンク−ダウンリンクサブフレーム構成に基づいて、デバイスツーデバイス（Ｄ２Ｄ）リソースメッセージを送信することと、ここにおいて、前記Ｄ２Ｄリソースメッセージは、ユーザ機器（ＵＥ）が、前記再構成されたアップリンク−ダウンリンクサブフレーム構成に基づいてＤ２Ｄ送信のために割り振られたＤ２Ｄリソースを決定することを可能にする、
を行うように構成される、装置。
［Ｃ２６］  前記少なくとも１つのプロセッサはさらに、前記再構成されたアップリンク−ダウンリンクサブフレーム構成に基づいて、Ｄ２Ｄ送信のために前記Ｄ２Ｄリソースを割り振ること行うように構成される、Ｃ２５に記載の装置。
［Ｃ２７］  前記少なくとも１つのプロセッサはさらに、前記ＵＥが前記Ｄ２Ｄリソースメッセージを復号することを可能にするために、システム情報ブロックにおいて、Ｄ２Ｄ送信に関連付けられた識別子を送信することを行うように構成される、Ｃ２５に記載の装置。
［Ｃ２８］  前記Ｄ２Ｄリソースメッセージは、アップリンクサブフレームのセットにおいて割り振られた前記Ｄ２Ｄリソースを示す、Ｃ２５に記載の装置。
［Ｃ２９］  前記Ｄ２Ｄリソースメッセージは、Ｄ２Ｄ情報メッセージが送信されることとなるリソースを識別し、ここにおいて、前記Ｄ２Ｄ情報メッセージは、前記再構成されたアップリンク−ダウンリンクサブフレーム構成に基づいてアップリンクサブフレームのセットにおいて割り振られた前記Ｄ２Ｄリソースを示す、Ｃ２５に記載の装置。
［Ｃ３０］  前記少なくとも１つのプロセッサはさらに、前記Ｄ２Ｄリソースメッセージにおいて識別された前記リソース上で前記Ｄ２Ｄ情報メッセージを送信することを行うように構成される、Ｃ２９に記載の装置。